【手続補正書】
【提出日】令和3年5月13日(2021.5.13)
【手続補正１】
【補正対象書類名】明細書
【補正対象項目名】００８３
【補正方法】変更
【補正の内容】
【００８３】
当然ながら、当業者であれば、その時々の要件や偶発的な要件を満足するために、前述した本発明に、例えば前記第１の留め経路の曲線部にさらなる停止位置を設ける等のような様々な変更や変形を施すことが可能であり、いずれにせよこれら変更や変形の全ては添付の特許請求の範囲により定まる本発明の保護範囲に含まれる。
以下、本発明に含まれる態様を記す。
〔態様１〕伝動チェーンを第１の歯車（２０１）と当該第１の歯車（２０１）の径よりも小径である第２の歯車（２０２）との間で変位させるための、自転車のフロントディレイラ（３００）の作動装置（１０）であって、
前記フロントディレイラ（３００）に対して動作可能に機能し、前記伝動チェーンが前記第２の歯車（２０２）に係合するときの第１のロー側停止位置（Ｐ１）及び第２のロー側停止位置（Ｐ２）を有するインデクサ（１３）であって、前記第２のロー側停止位置（Ｐ２）は、前記フロントディレイラ（３００）を前記第２の歯車（２０２）上のセンタに配置させるように構成されており、当該インデクサ（１３）は、前記第１の歯車（２０１）との前記伝動チェーンの係合に対応する第１のアッパ側停止位置（Ｐ４）を備える、インデクサ（１３）と、
前記インデクサ（１３）を前記第１のロー側停止位置（Ｐ１）、前記第２のロー側停止位置（Ｐ２）、前記第１のアッパ側停止位置（Ｐ４）間で切り替えるように当該インデクサ（１３）に対して動作可能に機能する、少なくとも１つの制御レバー（１４）と、
を備え、前記制御レバー（１４）の単一作動により、前記インデクサ（１３）が前記第１のアッパ側停止位置（Ｐ４）から前記第２のロー側停止位置（Ｐ２）へと切り替えられる、作動装置（１０）。
〔態様２〕態様１に記載の作動装置（１０）において、前記インデクサ（１３）は、前記伝動チェーンが前記第２の歯車（２０２）に係合するときの第３のロー側停止位置（Ｐ３）を備えており、前記第２のロー側停止位置（Ｐ２）が、前記第１のロー側停止位置（Ｐ１）と前記第３のロー側停止位置（Ｐ３）との間に配置されている、作動装置（１０）。
〔態様３〕態様１または２に記載の作動装置（１０）において、前記インデクサ（１３）は、前記伝動チェーンが前記第１の歯車（２０１）に係合するときの第２のアッパ側停止位置（Ｐ５）を有し、前記第１のアッパ側停止位置（Ｐ４）に対して、当該第２のアッパ側停止位置（Ｐ５）のほうが前記第２のロー側停止位置（Ｐ２）から遠くにあり、前記制御レバー（１４）の単一作動が、前記インデクサ（１３）を前記第２のアッパ側停止位置（Ｐ５）から前記第２のロー側停止位置（Ｐ２）へと切り替える、作動装置（１０）。
〔態様４〕態様２に従属する場合の態様３に記載の作動装置（１０）において、前記第１のアッパ側停止位置（Ｐ４）は、前記第２のアッパ側停止位置（Ｐ５）からのみ到達可能である、作動装置（１０）。
〔態様５〕態様１から４のいずれか一態様に記載の作動装置（１０）において、前記少なくとも１つの制御レバー（１４）によって回転軸心（Ｘ）回りに、前記インデクサ（１３）の第２のアッパ側停止位置（Ｐ５）に対応する最後の角度方向位置から前記インデクサ（１３）の前記第１のロー側停止位置（Ｐ１）に対応する第１の角度方向位置への間で第１の角度方向（Ａ）に、および前記第１の角度方向位置から前記最後の角度方向位置への間で第２の角度方向（Ｂ）に、回転するように作動される、ケーブル巻取りブッシュ（１６）、
を備え、前記インデクサ（１３）が、
前記ケーブル巻取りブッシュ（１６）と一体回転し、少なくとも１つのポインタ（１８，１９）を具備する、ボール保持ディスク（１７）、および
前記ポインタ（１８，１９）が係合する留めトラック（２４）が設けられたインデクシングブッシュ（２３）であって、前記留めトラック（２４）が、前記ボール保持ディスク（１７）を一部の前記ロー側及びアッパ側停止位置（Ｐ１，Ｐ２，Ｐ３，Ｐ４，Ｐ５）に停止させるために、少なくとも一部の前記ロー側及びアッパ側停止位置（Ｐ１，Ｐ２，Ｐ３，Ｐ４，Ｐ５）を含む、インデクシングブッシュ（２３）、を備える、作動装置（１０）。
〔態様６〕態様５に記載の作動装置（１０）において、前記留めトラック（２４）が、第１の留め経路（２５）および第２の留め経路（２６）を含み、前記ボール保持ディスク（１７）が、前記第１の留め経路（２５）に係合する第１のポインタ（１８）および前記第２の留め経路（２６）に係合する第２のポインタ（１９）を具備する、作動装置（１０）。
〔態様７〕態様６に記載の作動装置（１０）において、前記第２のポインタ（１９）のサイズが、前記第１のポインタ（１８）よりも小さい、作動装置（１０）。
〔態様８〕態様３に従属する場合の態様５から７のいずれか一態様に記載の作動装置（１０）において、前記第１のロー側停止位置（Ｐ１）と前記第２のロー側停止位置（Ｐ２）、および前記第２のロー側停止位置（Ｐ２）と第３のロー側停止位置（Ｐ３）が、前記第１のアッパ側停止位置（Ｐ４）と前記第２のアッパ側停止位置（Ｐ５）とを隔てる角度よりも小さい角度で角度方向に互いに離間している、作動装置（１０）。
〔態様９〕態様３に従属する場合の態様６または７に記載の作動装置（１０）において、前記第１（Ｐ１）、第２（Ｐ２）および第３（Ｐ３）のロー側停止位置が前記第２の留め経路（２６）に形成されており、前記第２のアッパ側停止位置（Ｐ５）が前記第１の留め経路（２５）に形成されている、作動装置（１０）。
〔態様１０〕態様６または７に記載の作動装置（１０）において、前記第１のアッパ側停止位置（Ｐ４）が、前記第１の留め経路（２５）の外部に形成されており、かつ、前記第２のアッパ側停止位置（Ｐ５）と径方向に揃えられている、作動装置（１０）。
〔態様１１〕態様３に従属する場合の態様９または１０に記載の作動装置（１０）において、前記第１の留め経路（２５）が、前記第１のポインタ（１８）用の自由スライド領域（２９）を含み、前記第１のポインタ（１８）は、前記第２のポインタ（１９）が前記第１、第２または第３のロー側停止位置（Ｐ１，Ｐ２，Ｐ３）にあるときに前記自由スライド領域（２９）に係合する、作動装置（１０）。
〔態様１２〕態様９、１０または１１に記載の作動装置（１０）において、前記第２の留め経路（２６）が、前記第２のポインタ（１９）用の自由スライド領域（３２ｂ）を含み、前記第２のポインタ（１９）は、前記第１のポインタ（１８）が前記第１のアッパ側停止位置（Ｐ４）または前記第２のアッパ側停止位置（Ｐ５）にあるときに前記自由スライド領域（３２ｂ）に係合する、作動装置（１０）。
〔態様１３〕態様４から１２のいずれか一態様に記載の作動装置（１０）において、当該作動装置（１０）が、前記ケーブル巻取りブッシュ（１６）を前記第１の角度方向（Ａ）に回転させる第１の制御レバー（１４）、および前記ケーブル巻取りブッシュ（１６）を前記第２の角度方向（Ｂ）に回転させる第２の制御レバー（１５）を備え、前記第１の制御レバー（１４）は、前記ボール保持ディスク（１７）に対して直接的に動作する、作動装置（１０）。
〔態様１４〕態様１３に記載の作動装置（１０）において、前記ボール保持ディスク（１７）が、前記第１の制御レバー（１４）の歯部（３４）により係合可能である複数の突出部（３８ａ，３８ｂ，３８ｃ）を具備しており、前記ボール保持ディスク（１７）は、前記第１の角度方向（Ａ）への前記第１の制御レバー（１４）の作動時に前記歯部（３４）が前記突出部（３８ａ，３８ｂ，３８ｃ）のうちの一つに係合することによって前記第１の角度方向（Ａ）に回転する、作動装置（１０）。
〔態様１５〕態様１４に記載の作動装置（１０）において、前記第１の制御レバー（１４）が、前記回転軸心（Ｘ）回りにアッパ側エンドストッパ（３５）とロー側エンドストッパ（３６）との間で回転可能であり、前記アッパ側エンドストッパ（３５）と前記ロー側エンドストッパ（３６）とを隔てる角度方向距離が、前記第２のアッパ側停止位置（Ｐ５）と前記第２のロー側停止位置（Ｐ２）との間の角度方向距離に等しい、作動装置（１０）。